【手続補正書】
【提出日】平成16年12月28日(2004.12.28)
【手続補正１】
【補正対象書類名】明細書
【補正対象項目名】特許請求の範囲
【補正方法】変更
【補正の内容】
【特許請求の範囲】
【請求項１】
再生情報を記録媒体に記録する再生情報記録手段と、
前記再生情報を再生する際の再生態様を制御するための再生リストを記録する再生リスト記録手段と、を備え、
前記再生リストは、当該再生情報の内容を示す内容情報の提示を制限するか否かを示す提示制御情報を含むことを特徴とする情報記録装置。
【請求項２】
請求項１に記載の情報記録装置において、
前記内容情報は、前記再生リストに基づく前記再生情報の再生処理の開始に先立って提示される情報であることを特徴とする情報記録装置。
【請求項３】
請求項１に記載の情報記録装置において、
前記提示制御情報は、前記再生リストに基づく前記再生情報の再生を制限するか否かを更に示す情報であることを特徴とする情報記録装置。
【請求項４】
請求項１に記載の情報記録装置において、
前記内容情報は、前記再生リストに基づき再生される前記再生情報に含まれる画像を代表する代表画像に対応する代表画像情報、当該再生情報を示す表題に対応する表題情報、当該再生情報の概要を示す概要情報又は当該再生情報に関する日時を示す日時情報のうち、少なくともいずれか一つを含んでいることを特徴とする情報記録装置。
【請求項５】
記録媒体を再生する情報再生装置であって、
前記記録媒体は、
再生情報が記録されている再生情報記録領域と、
前記再生情報を再生する際の再生態様を制御するための再生リストが記録されている再生リスト記録領域と、を備え、
前記再生リストは、当該再生情報の内容を示す内容情報の提示を制限するか否かを示す提示制御情報を含み、
前記情報再生装置は、
前記再生リストを前記記録媒体から検出する検出手段と、
前記検出された再生リストに含まれる前記提示制御情報に基づいて前記内容情報の提示を制限する制限手段と、
を備えることを特徴とする情報再生装置。
【請求項６】
再生情報を記録媒体に記録する再生情報記録工程と、
前記再生情報を再生する際の再生態様を制御するための再生リストを記録する再生リスト記録工程と、を備え、
前記再生リストは、当該再生情報の内容を示す内容情報の提示を制限するか否かを示す提示制御情報を含むことを特徴とする情報記録方法。
【請求項７】
記録媒体を再生する情報再生方法であって、
前記記録媒体は、
再生情報が記録されている再生情報記録領域と、
前記再生情報を再生する際の再生態様を制御するための再生リストが記録されている再生リスト記録領域と、を備え、
前記再生リストは、当該再生情報の内容を示す内容情報の提示を制限するか否かを示す提示制御情報を含み、
前記情報再生方法は、
前記再生リストを前記記録媒体から検出する検出工程と、
前記検出された再生リストに含まれる前記提示制御情報に基づいて前記内容情報の提示を制限する制限工程と、
を備えることを特徴とする情報再生方法。
【請求項８】
情報記録装置に含まれるコンピュータを、
再生情報を記録媒体に記録する再生情報記録手段と、
前記再生情報を再生する際の再生態様を制御するための再生リストを記録する再生リスト記録手段と、して機能させる情報記録用プログラムであり、
前記再生リストは、当該再生情報の内容を示す内容情報の提示を制限するか否かを示す提示制御情報を含むことを特徴とする情報記録用プログラム。
【請求項９】
記録媒体を再生する情報再生装置に含まれるコンピュータを機能させるための情報再生用プログラムであって、
前記記録媒体は、
再生情報が記録されている再生情報記録領域と、
前記再生情報を再生する際の再生態様を制御するための再生リストが記録されている再生リスト記録領域と、を備え、
前記再生リストは、当該再生情報の内容を示す内容情報の提示を制限するか否かを示す提示制御情報を含み、
前記情報再生用プログラムは、前記コンピュータを、
前記再生リストを前記記録媒体から検出する検出手段と、
前記検出された再生リストに含まれる前記提示制御情報に基づいて前記内容情報の提示を制限する制限手段と、
して機能させることを特徴とする情報再生用プログラム。
【請求項１０】
請求項８に記載の情報記録用プログラムが前記コンピュータで読取可能に記録されていることを特徴とする情報記録媒体。
【請求項１１】
請求項９に記載の情報再生用プログラムが前記コンピュータで読取可能に記録されていることを特徴とする情報記録媒体。
【請求項１２】
再生情報が記録されている再生情報記録領域と、
前記再生情報を再生する際の再生態様を制御するための再生リストを記録する再生リスト記録領域と、を備え、
前記再生リストは、当該再生情報の内容を示す内容情報の提示を制限するか否かを示す提示制御情報を含むことを特徴とする記録媒体。
【請求項１３】
請求項１２に記載の記録媒体において、
前記内容情報は、前記再生リストに基づく再生情報の再生処理の開始に先立って提示される情報であることを特徴とする記録媒体。
【請求項１４】
請求項１２に記載の記録媒体において、
前記提示制御情報は、前記再生リストに基づく前記再生情報の再生を制限するか否かを更に示す情報であることを特徴とする記録媒体。
【請求項１５】
請求項１２に記載の記録媒体において、
前記内容情報は、前記再生リストに基づき再生される前記再生情報に含まれる画像を代表する代表画像に対応する代表画像情報、当該再生情報を示す表題に対応する表題情報、当該再生情報の概要を示す概要情報又は当該再生情報に関する日時を示す日時情報のうち、少なくともいずれか一つを含んでいることを特徴とする記録媒体。
【請求項１６】
再生情報を記録媒体に記録する再生情報記録手段と、
前記再生情報を再生する際の再生態様を制御するための再生リストを記録する再生リスト記録手段と、
前記再生リストに対応する前記再生情報の内容を示す内容情報の提示を制限するか否かを示す提示制御情報を記録する制御情報記録手段と、
を備えることを特徴とする情報記録装置。
【請求項１７】
再生情報を記録媒体に記録する情報記録装置において、
前記再生情報を再生する際の再生態様を制御するための再生リストを生成する生成手段と、
前記再生情報と、前記再生リストと、前記再生リストに対応する前記再生情報の内容を示す内容情報の提示を制限するか否かを示す提示制御情報と、を前記記録媒体に記録する記録手段と、
を備えることを特徴とする情報記録装置。
【請求項１８】
請求項１６又は１７に記載の情報記録装置において、
前記提示制御情報により示される前記内容情報の提示の制限は、当該内容情報の提示の禁止であることを特徴とする情報記録装置。
【請求項１９】
再生情報を記録媒体に記録する情報記録装置において、
前記再生情報を再生する際の再生態様を制御するための再生リストを生成する生成手段と、
前記再生情報と、前記再生リストと、前記再生リストに対応する前記再生情報の内容を代表する代表画像の表示を禁止するか否かを示す表示制御情報と、を前記記録媒体に記録する記録手段と、
を備えることを特徴とする情報記録装置。
【請求項２０】
再生情報を記録媒体に記録する情報記録装置において、
前記再生情報を再生する際の再生態様を制御するための再生リストを生成する生成手段と、
前記再生情報と、前記再生リストと、前記再生リストに対応する前記再生情報の名称を示す名称情報の表示を禁止するか否かを示す表示制御情報と、を前記記録媒体に記録する記録手段と、
を備えることを特徴とする情報記録装置。
【請求項２１】
再生情報を記録媒体に記録する再生情報記録工程と、
前記再生情報を再生する際の再生態様を制御するための再生リストを記録する再生リスト記録工程と、
前記再生リストに対応する前記再生情報の内容を示す内容情報の提示を制限するか否かを示す提示制御情報を記録する制御情報記録工程と、
を備えることを特徴とする情報記録方法。
【請求項２２】
再生情報を記録媒体に記録する情報記録方法において、
前記再生情報を再生する際の再生態様を制御するための再生リストを生成する生成工程と、
前記再生情報と、前記再生リストと、前記再生リストに対応する前記再生情報の内容を示す内容情報の提示を制限するか否かを示す提示制御情報と、を前記記録媒体に記録する記録工程と、
を備えることを特徴とする情報記録方法。
【請求項２３】
再生情報を記録媒体に記録する情報記録方法において、
前記再生情報を再生する際の再生態様を制御するための再生リストを生成する生成工程と、
前記再生情報と、前記再生リストと、前記再生リストに対応する前記再生情報の内容を代表する代表画像の表示を禁止するか否かを示す表示制御情報と、を前記記録媒体に記録する記録工程と、
を備えることを特徴とする情報記録方法。
【請求項２４】
再生情報を記録媒体に記録する情報記録方法において、
前記再生情報を再生する際の再生態様を制御するための再生リストを生成する生成工程と、
前記再生情報と、前記再生リストと、前記再生リストに対応する前記再生情報の名称を示す名称情報の表示を禁止するか否かを示す表示制御情報と、を前記記録媒体に記録する記録工程と、
を備えることを特徴とする情報記録方法。
【請求項２５】
情報記録装置に含まれる記録コンピュータを、
再生情報を記録媒体に記録する再生情報記録手段、
前記再生情報を再生する際の再生態様を制御するための再生リストを記録する再生リスト記録手段、及び、
前記再生リストに対応する前記再生情報の内容を示す内容情報の提示を制限するか否かを示す提示制御情報を記録する制御情報記録手段、
として機能させることを特徴とする情報記録用プログラム。
【請求項２６】
再生情報を記録媒体に記録する情報記録装置に含まれる記録コンピュータを、
前記再生情報を再生する際の再生態様を制御するための再生リストを生成する生成手段、及び、
前記再生情報と、前記再生リストと、前記再生リストに対応する前記再生情報の内容を示す内容情報の提示を制限するか否かを示す提示制御情報と、を前記記録媒体に記録する記録手段、
として機能させることを特徴とする情報記録用プログラム。
【請求項２７】
再生情報を記録媒体に記録する情報記録装置に含まれる記録コンピュータを、
前記再生情報を再生する際の再生態様を制御するための再生リストを生成する生成手段、及び、
前記再生情報と、前記再生リストと、前記再生リストに対応する前記再生情報の内容を代表する代表画像の表示を禁止するか否かを示す表示制御情報と、を前記記録媒体に記録する記録手段、
として機能させることを特徴とする情報記録用プログラム。
【請求項２８】
再生情報を記録媒体に記録する情報記録装置に含まれる記録コンピュータを、
前記再生情報を再生する際の再生態様を制御するための再生リストを生成する生成手段、及び、
前記再生情報と、前記再生リストと、前記再生リストに対応する前記再生情報の名称を示す名称情報の表示を禁止するか否かを示す表示制御情報と、を前記記録媒体に記録する記録手段、
として機能させることを特徴とする情報記録用プログラム。
【請求項２９】
再生情報と、前記再生情報を再生する際の再生態様を制御するための再生リストと、前記再生リストに対応する前記再生情報の内容を示す内容情報の提示を制限するか否かを示す提示制御情報と、が記録された記録媒体から前記再生情報を再生する情報再生装置であって、
前記提示制限情報を前記記録媒体から検出する検出手段と、
前記検出された提示制限情報に基づいて前記内容情報の提示を制限する制限手段と、
を備えることを特徴とする情報再生装置。
【請求項３０】
再生情報と、前記再生情報を再生する際の再生態様を制御するための再生リストと、前記再生リストに対応する前記再生情報の内容を代表する代表画像の表示を禁止するか否かを示す表示制御情報と、が記録された記録媒体から前記再生情報を再生する情報再生装置であって、
前記提示制限情報を前記記録媒体から検出する検出手段と、
前記検出された提示制限情報に基づいて前記代表画像の表示を禁止する禁止手段と、
を備えることを特徴とする情報再生装置。
【請求項３１】
再生情報と、前記再生情報を再生する際の再生態様を制御するための再生リストと、前記再生リストに対応する前記再生情報の名称を示す名称情報の表示を禁止するか否かを示す表示制御情報と、が記録された記録媒体から前記再生情報を再生する情報再生装置であって、
前記提示制限情報を前記記録媒体から検出する検出手段と、
前記検出された提示制限情報に基づいて前記名称画像の表示を禁止する禁止手段と、
を備えることを特徴とする情報再生装置。
【請求項３２】
再生情報と、前記再生情報を再生する際の再生態様を制御するための再生リストと、前記再生リストに対応する前記再生情報の内容を示す内容情報の提示を制限するか否かを示す提示制御情報と、が記録された記録媒体から前記再生情報を再生する情報再生方法であって、
前記提示制限情報を前記記録媒体から検出する検出工程と、
前記検出された提示制限情報に基づいて前記内容情報の提示を制限する制限工程と、
を含むことを特徴とする情報再生方法。
【請求項３３】
再生情報と、前記再生情報を再生する際の再生態様を制御するための再生リストと、前記再生リストに対応する前記再生情報の内容を代表する代表画像の表示を禁止するか否かを示す表示制御情報と、が記録された記録媒体から前記再生情報を再生する情報再生方法であって、
前記提示制限情報を前記記録媒体から検出する検出工程と、
前記検出された提示制限情報に基づいて前記代表画像の表示を禁止する禁止工程と、
を含むことを特徴とする情報再生方法。
【請求項３４】
再生情報と、前記再生情報を再生する際の再生態様を制御するための再生リストと、前記再生リストに対応する前記再生情報の名称を示す名称情報の表示を禁止するか否かを示す表示制御情報と、が記録された記録媒体から前記再生情報を再生する情報再生方法であって、
前記提示制限情報を前記記録媒体から検出する検出工程と、
前記検出された提示制限情報に基づいて前記名称画像の表示を禁止する禁止工程と、
を含むことを特徴とする情報再生方法。
【請求項３５】
再生情報と、前記再生情報を再生する際の再生態様を制御するための再生リストと、前記再生リストに対応する前記再生情報の内容を示す内容情報の提示を制限するか否かを示す提示制御情報と、が記録された記録媒体から前記再生情報を再生する情報再生装置に含まれる再生コンピュータを、
前記提示制限情報を前記記録媒体から検出する検出手段、及び、
前記検出された提示制限情報に基づいて前記内容情報の提示を制限する制限手段、
として機能させることを特徴とする情報再生用プログラム。
【請求項３６】
再生情報と、前記再生情報を再生する際の再生態様を制御するための再生リストと、前記再生リストに対応する前記再生情報の内容を代表する代表画像の表示を禁止するか否かを示す表示制御情報と、が記録された記録媒体から前記再生情報を再生する情報再生装置に含まれる再生コンピュータを、
前記提示制限情報を前記記録媒体から検出する検出手段、及び、
前記検出された提示制限情報に基づいて前記代表画像の表示を禁止する禁止手段、
として機能させることを特徴とする情報再生用プログラム。
【請求項３７】
再生情報と、前記再生情報を再生する際の再生態様を制御するための再生リストと、前記再生リストに対応する前記再生情報の名称を示す名称情報の表示を禁止するか否かを示す表示制御情報と、が記録された記録媒体から前記再生情報を再生する情報再生装置に含まれる再生コンピュータを、
前記提示制限情報を前記記録媒体から検出する検出手段、及び、
前記検出された提示制限情報に基づいて前記名称画像の表示を禁止する禁止手段、
として機能させることを特徴とする情報再生用プログラム。
【請求項３８】
請求項３５から３７のいずれか一項に記載の情報再生用プログラムが前記再生コンピュータで読取可能に記録されていることを特徴とする情報記録媒体。
【手続補正２】
【補正対象書類名】明細書
【補正対象項目名】０００８
【補正方法】変更
【補正の内容】
【０００８】
【課題を解決するための手段】
上記の課題を解決するために、請求項１に記載の発明は、再生情報を光ディスク等の記録媒体に記録するＣＰＵ等の再生情報記録手段と、前記再生情報を再生する際の再生態様を制御するための再生リストを記録するＣＰＵ等の再生リスト記録手段と、を備え、前記再生リストは、当該再生情報の内容を示す内容情報の提示を制限するか否かを示す提示制御情報を含むように構成される。
【手続補正３】
【補正対象書類名】明細書
【補正対象項目名】０００９
【補正方法】変更
【補正の内容】
【０００９】
上記の課題を解決するために、請求項５に記載の発明は、記録媒体を再生する情報再生装置であって、前記記録媒体は、再生情報が記録されている再生情報記録領域と、前記再生情報を再生する際の再生態様を制御するための再生リストが記録されている再生リスト記録領域と、を備え、前記再生リストは、当該再生情報の内容を示す内容情報の提示を制限するか否かを示す提示制御情報を含み、前記情報再生装置は、前記再生リストを前記記録媒体から検出するピックアップ等の検出手段と、前記検出された再生リストに含まれる前記提示制御情報に基づいて前記内容情報の提示を制限するＣＰＵ等の制限手段と、を備える。
【手続補正４】
【補正対象書類名】明細書
【補正対象項目名】００１０
【補正方法】変更
【補正の内容】
【００１０】
上記の課題を解決するために、請求項６に記載の発明は、再生情報を光ディスク等の記録媒体に記録する再生情報記録工程と、前記再生情報を再生する際の再生態様を制御するための再生リストを記録する再生リスト記録工程と、を備え、前記再生リストは、当該再生情報の内容を示す内容情報の提示を制限するか否かを示す提示制御情報を含むように構成される。
【手続補正５】
【補正対象書類名】明細書
【補正対象項目名】００１１
【補正方法】変更
【補正の内容】
【００１１】
上記の課題を解決するために、請求項７に記載の発明は、光ディスク等の記録媒体を再生する情報再生方法であって、前記記録媒体は、再生情報が記録されている再生情報記録領域と、前記再生情報を再生する際の再生態様を制御するための再生リストが記録されている再生リスト記録領域と、を備え、前記再生リストは、当該再生情報の内容を示す内容情報の提示を制限するか否かを示す提示制御情報を含み、前記情報再生方法は、前記再生リストを前記記録媒体から検出する検出工程と、前記検出された再生リストに含まれる前記提示制御情報に基づいて前記内容情報の提示を制限する制限工程と、を備える。
【手続補正６】
【補正対象書類名】明細書
【補正対象項目名】００１２
【補正方法】変更
【補正の内容】
【００１２】
上記の課題を解決するために、請求項８に記載の発明は、情報記録装置に含まれるコンピュータを、再生情報を光ディスク等の記録媒体に記録する再生情報記録手段と、前記再生情報を再生する際の再生態様を制御するための再生リストを記録する再生リスト記録手段と、して機能させる情報記録用プログラムであり、前記再生リストは、当該再生情報の内容を示す内容情報の提示を制限するか否かを示す提示制御情報を含むように構成される。
【手続補正７】
【補正対象書類名】明細書
【補正対象項目名】００１３
【補正方法】変更
【補正の内容】
【００１３】
上記の課題を解決するために、請求項９に記載の発明は、光ディスク等の記録媒体を再生する情報再生装置に含まれるコンピュータを機能させるための情報再生用プログラムであって、前記記録媒体は、再生情報が記録されている再生情報記録領域と、前記再生情報を再生する際の再生態様を制御するための再生リストが記録されている再生リスト記録領域と、を備え、前記再生リストは、当該再生情報の内容を示す内容情報の提示を制限するか否かを示す提示制御情報を含み、前記情報再生用プログラムは、前記コンピュータを、前記再生リストを前記記録媒体から検出する検出手段と、前記検出された再生リストに含まれる前記提示制御情報に基づいて前記内容情報の提示を制限する制限手段と、して機能させる。
【手続補正８】
【補正対象書類名】明細書
【補正対象項目名】００１４
【補正方法】変更
【補正の内容】
【００１４】
上記の課題を解決するために、請求項１２に記載の発明は、再生情報が記録されている再生情報記録領域と、前記再生情報を再生する際の再生態様を制御するための再生リストを記録する再生リスト記録領域と、を備え、前記再生リストは、当該再生情報の内容を示す内容情報の提示を制限するか否かを示す提示制御情報を含むように構成される。
【手続補正９】
【補正対象書類名】明細書
【補正対象項目名】００１５
【補正方法】変更
【補正の内容】
【００１５】
上記の課題を解決するために、請求項１６に記載の発明は、再生情報を光ディスク等の記録媒体に記録するＣＰＵ等の再生情報記録手段と、前記再生情報を再生する際の再生態様を制御するための再生リストを記録するＣＰＵ等の再生リスト記録手段と、前記再生リストに対応する前記再生情報の内容を示す内容情報の提示を制限するか否かを示す提示制御情報を記録するＣＰＵ等の制御情報記録手段と、を備える。
【手続補正１０】
【補正対象書類名】明細書
【補正対象項目名】００１６
【補正方法】変更
【補正の内容】
【００１６】
上記の課題を解決するために、請求項１７に記載の発明は、再生情報を光ディスク等の記録媒体に記録する情報記録装置において、前記再生情報を再生する際の再生態様を制御するための再生リストを生成するＣＰＵ等の生成手段と、前記再生情報と、前記再生リストと、前記再生リストに対応する前記再生情報の内容を示す内容情報の提示を制限するか否かを示す提示制御情報と、を前記記録媒体に記録するピックアップ等の記録手段と、を備える。
【手続補正１１】
【補正対象書類名】明細書
【補正対象項目名】００１７
【補正方法】変更
【補正の内容】
【００１７】
上記の課題を解決するために、請求項１９に記載の発明は、再生情報を光ディスク等の記録媒体に記録する情報記録装置において、前記再生情報を再生する際の再生態様を制御するための再生リストを生成するＣＰＵ等の生成手段と、前記再生情報と、前記再生リストと、前記再生リストに対応する前記再生情報の内容を代表する代表画像の表示を禁止するか否かを示す表示制御情報と、を前記記録媒体に記録するピックアップ等の記録手段と、を備える。
【手続補正１２】
【補正対象書類名】明細書
【補正対象項目名】００１８
【補正方法】変更
【補正の内容】
【００１８】
上記の課題を解決するために、請求項２０に記載の発明は、再生情報を光ディスク等の記録媒体に記録する情報記録装置において、前記再生情報を再生する際の再生態様を制御するための再生リストを生成するＣＰＵ等の生成手段と、前記再生情報と、前記再生リストと、前記再生リストに対応する前記再生情報の名称を示す名称情報の表示を禁止するか否かを示す表示制御情報と、を前記記録媒体に記録するピックアップ等の記録手段と、を備える。
【手続補正１３】
【補正対象書類名】明細書
【補正対象項目名】００１９
【補正方法】変更
【補正の内容】
【００１９】
上記の課題を解決するために、請求項２１に記載の発明は、再生情報を光ディスク等の記録媒体に記録する再生情報記録工程と、前記再生情報を再生する際の再生態様を制御するための再生リストを記録する再生リスト記録工程と、前記再生リストに対応する前記再生情報の内容を示す内容情報の提示を制限するか否かを示す提示制御情報を記録する制御情報記録工程と、を備える。
【手続補正１４】
【補正対象書類名】明細書
【補正対象項目名】００２０
【補正方法】変更
【補正の内容】
【００２０】
上記の課題を解決するために、請求項２２に記載の発明は、再生情報を光ディスク等の記録媒体に記録する情報記録方法において、前記再生情報を再生する際の再生態様を制御するための再生リストを生成する生成工程と、前記再生情報と、前記再生リストと、前記再生リストに対応する前記再生情報の内容を示す内容情報の提示を制限するか否かを示す提示制御情報と、を前記記録媒体に記録する記録工程と、を備える。
【手続補正１５】
【補正対象書類名】明細書
【補正対象項目名】００２１
【補正方法】変更
【補正の内容】
【００２１】
上記の課題を解決するために、請求項２３に記載の発明は、再生情報を光ディスク等の記録媒体に記録する情報記録方法において、前記再生情報を再生する際の再生態様を制御するための再生リストを生成する生成工程と、前記再生情報と、前記再生リストと、前記再生リストに対応する前記再生情報の内容を代表する代表画像の表示を禁止するか否かを示す表示制御情報と、を前記記録媒体に記録する記録工程と、を備える。
【手続補正１６】
【補正対象書類名】明細書
【補正対象項目名】００２２
【補正方法】変更
【補正の内容】
【００２２】
上記の課題を解決するために、請求項２４に記載の発明は、再生情報を光ディスク等の記録媒体に記録する情報記録方法において、前記再生情報を再生する際の再生態様を制御するための再生リストを生成する生成工程と、前記再生情報と、前記再生リストと、前記再生リストに対応する前記再生情報の名称を示す名称情報の表示を禁止するか否かを示す表示制御情報と、を前記記録媒体に記録する記録工程と、を備える。
【手続補正１７】
【補正対象書類名】明細書
【補正対象項目名】００２３
【補正方法】変更
【補正の内容】
【００２３】
上記の課題を解決するために、請求項２５に記載の発明は、情報記録装置に含まれる記録コンピュータを、再生情報を光ディスク等の記録媒体に記録する再生情報記録手段、前記再生情報を再生する際の再生態様を制御するための再生リストを記録する再生リスト記録手段、及び、前記再生リストに対応する前記再生情報の内容を示す内容情報の提示を制限するか否かを示す提示制御情報を記録する制御情報記録手段、として機能させる。
【手続補正１８】
【補正対象書類名】明細書
【補正対象項目名】００２４
【補正方法】変更
【補正の内容】
【００２４】
上記の課題を解決するために、請求項２６に記載の発明は、再生情報を光ディスク等の記録媒体に記録する情報記録装置に含まれる記録コンピュータを、前記再生情報を再生する際の再生態様を制御するための再生リストを生成する生成手段、及び、前記再生情報と、前記再生リストと、前記再生リストに対応する前記再生情報の内容を示す内容情報の提示を制限するか否かを示す提示制御情報と、を前記記録媒体に記録する記録手段、として機能させる。
【手続補正１９】
【補正対象書類名】明細書
【補正対象項目名】００２５
【補正方法】変更
【補正の内容】
【００２５】
上記の課題を解決するために、請求項２７に記載の発明は、再生情報を光ディスク等の記録媒体に記録する情報記録装置に含まれる記録コンピュータを、前記再生情報を再生する際の再生態様を制御するための再生リストを生成する生成手段、及び、前記再生情報と、前記再生リストと、前記再生リストに対応する前記再生情報の内容を代表する代表画像の表示を禁止するか否かを示す表示制御情報と、を前記記録媒体に記録する記録手段、として機能させる。
【手続補正２０】
【補正対象書類名】明細書
【補正対象項目名】００２６
【補正方法】変更
【補正の内容】
【００２６】
上記の課題を解決するために、請求項２８に記載の発明は、再生情報を光ディスク等の記録媒体に記録する情報記録装置に含まれる記録コンピュータを、前記再生情報を再生する際の再生態様を制御するための再生リストを生成する生成手段、及び、前記再生情報と、前記再生リストと、前記再生リストに対応する前記再生情報の名称を示す名称情報の表示を禁止するか否かを示す表示制御情報と、を前記記録媒体に記録する記録手段、として機能させる。
【手続補正２１】
【補正対象書類名】明細書
【補正対象項目名】００２７
【補正方法】変更
【補正の内容】
【００２７】
上記の課題を解決するために、請求項２９に記載の発明は、再生情報と、前記再生情報を再生する際の再生態様を制御するための再生リストと、前記再生リストに対応する前記再生情報の内容を示す内容情報の提示を制限するか否かを示す提示制御情報と、が記録された記録媒体から前記再生情報を再生する情報再生装置であって、前記提示制限情報を前記記録媒体から検出する検出手段と、前記検出された提示制限情報に基づいて前記内容情報の提示を制限する制限手段と、を備える。
【手続補正２２】
【補正対象書類名】明細書
【補正対象項目名】００２８
【補正方法】変更
【補正の内容】
【００２８】
上記の課題を解決するために、請求項３０に記載の発明は、再生情報と、前記再生情報を再生する際の再生態様を制御するための再生リストと、前記再生リストに対応する前記再生情報の内容を代表する代表画像の表示を禁止するか否かを示す表示制御情報と、が記録された記録媒体から前記再生情報を再生する情報再生装置であって、前記提示制限情報を前記記録媒体から検出する検出手段と、前記検出された提示制限情報に基づいて前記代表画像の表示を禁止する禁止手段と、を備える。
【手続補正２３】
【補正対象書類名】明細書
【補正対象項目名】００２９
【補正方法】変更
【補正の内容】
【００２９】
上記の課題を解決するために、請求項３１に記載の発明は、再生情報と、前記再生情報を再生する際の再生態様を制御するための再生リストと、前記再生リストに対応する前記再生情報の名称を示す名称情報の表示を禁止するか否かを示す表示制御情報と、が記録された記録媒体から前記再生情報を再生する情報再生装置であって、前記提示制限情報を前記記録媒体から検出する検出手段と、前記検出された提示制限情報に基づいて前記名称画像の表示を禁止する禁止手段と、を備える。
【手続補正２４】
【補正対象書類名】明細書
【補正対象項目名】００３０
【補正方法】変更
【補正の内容】
【００３０】
上記の課題を解決するために、請求項３２に記載の発明は、再生情報と、前記再生情報を再生する際の再生態様を制御するための再生リストと、前記再生リストに対応する前記再生情報の内容を示す内容情報の提示を制限するか否かを示す提示制御情報と、が記録された記録媒体から前記再生情報を再生する情報再生方法であって、前記提示制限情報を前記記録媒体から検出する検出工程と、前記検出された提示制限情報に基づいて前記内容情報の提示を制限する制限工程と、を含む。
【手続補正２５】
【補正対象書類名】明細書
【補正対象項目名】００３１
【補正方法】変更
【補正の内容】
【００３１】
上記の課題を解決するために、請求項３３に記載の発明は、再生情報と、前記再生情報を再生する際の再生態様を制御するための再生リストと、前記再生リストに対応する前記再生情報の内容を代表する代表画像の表示を禁止するか否かを示す表示制御情報と、が記録された記録媒体から前記再生情報を再生する情報再生方法であって、前記提示制限情報を前記記録媒体から検出する検出工程と、前記検出された提示制限情報に基づいて前記代表画像の表示を禁止する禁止工程と、を含む。
【手続補正２６】
【補正対象書類名】明細書
【補正対象項目名】００３２
【補正方法】変更
【補正の内容】
【００３２】
上記の課題を解決するために、請求項３４に記載の発明は、再生情報と、前記再生情報を再生する際の再生態様を制御するための再生リストと、前記再生リストに対応する前記再生情報の名称を示す名称情報の表示を禁止するか否かを示す表示制御情報と、が記録された記録媒体から前記再生情報を再生する情報再生方法であって、前記提示制限情報を前記記録媒体から検出する検出工程と、前記検出された提示制限情報に基づいて前記名称画像の表示を禁止する禁止工程と、を含む。
【手続補正２７】
【補正対象書類名】明細書
【補正対象項目名】００３３
【補正方法】変更
【補正の内容】
【００３３】
上記の課題を解決するために、請求項３５に記載の発明は、再生情報と、前記再生情報を再生する際の再生態様を制御するための再生リストと、前記再生リストに対応する前記再生情報の内容を示す内容情報の提示を制限するか否かを示す提示制御情報と、が記録された記録媒体から前記再生情報を再生する情報再生装置に含まれる再生コンピュータを、前記提示制限情報を前記記録媒体から検出する検出手段、及び、前記検出された提示制限情報に基づいて前記内容情報の提示を制限する制限手段、として機能させる。
【手続補正２８】
【補正対象書類名】明細書
【補正対象項目名】００３４
【補正方法】変更
【補正の内容】
【００３４】
上記の課題を解決するために、請求項３６に記載の発明は、再生情報と、前記再生情報を再生する際の再生態様を制御するための再生リストと、前記再生リストに対応する前記再生情報の内容を代表する代表画像の表示を禁止するか否かを示す表示制御情報と、が記録された記録媒体から前記再生情報を再生する情報再生装置に含まれる再生コンピュータを、前記提示制限情報を前記記録媒体から検出する検出手段、及び、前記検出された提示制限情報に基づいて前記代表画像の表示を禁止する禁止手段、として機能させる。
【手続補正２９】
【補正対象書類名】明細書
【補正対象項目名】００３５
【補正方法】変更
【補正の内容】
【００３５】
上記の課題を解決するために、請求項３７に記載の発明は、再生情報と、前記再生情報を再生する際の再生態様を制御するための再生リストと、前記再生リストに対応する前記再生情報の名称を示す名称情報の表示を禁止するか否かを示す表示制御情報と、が記録された記録媒体から前記再生情報を再生する情報再生装置に含まれる再生コンピュータを、前記提示制限情報を前記記録媒体から検出する検出手段、及び、前記検出された提示制限情報に基づいて前記名称画像の表示を禁止する禁止手段、として機能させる。
【手続補正３０】
【補正対象書類名】明細書
【補正対象項目名】００３６
【補正方法】変更
【補正の内容】
【００３６】
上記の課題を解決するために、請求項３８に記載の発明は、請求項３５から３７のいずれか一項に記載の情報再生用プログラムが前記再生コンピュータで読取可能に記録されている。
【手続補正３１】
【補正対象書類名】明細書
【補正対象項目名】００３７
【補正方法】削除
【補正の内容】
【手続補正３２】
【補正対象書類名】明細書
【補正対象項目名】００３８
【補正方法】削除
【補正の内容】
【手続補正３３】
【補正対象書類名】明細書
【補正対象項目名】００３９
【補正方法】削除
【補正の内容】
【手続補正３４】
【補正対象書類名】明細書
【補正対象項目名】００４０
【補正方法】削除
【補正の内容】
【手続補正３５】
【補正対象書類名】明細書
【補正対象項目名】００４１
【補正方法】削除
【補正の内容】
【手続補正３６】
【補正対象書類名】明細書
【補正対象項目名】００４２
【補正方法】削除
【補正の内容】
【手続補正３７】
【補正対象書類名】明細書
【補正対象項目名】００４３
【補正方法】削除
【補正の内容】
【手続補正３８】
【補正対象書類名】明細書
【補正対象項目名】００４４
【補正方法】削除
【補正の内容】
【手続補正３９】
【補正対象書類名】明細書
【補正対象項目名】００４５
【補正方法】削除
【補正の内容】
【手続補正４０】
【補正対象書類名】明細書
【補正対象項目名】００４６
【補正方法】削除
【補正の内容】
【手続補正４１】
【補正対象書類名】明細書
【補正対象項目名】００４７
【補正方法】削除
【補正の内容】
【手続補正４２】
【補正対象書類名】明細書
【補正対象項目名】００４８
【補正方法】削除
【補正の内容】
【手続補正４３】
【補正対象書類名】明細書
【補正対象項目名】００４９
【補正方法】削除
【補正の内容】
【手続補正４４】
【補正対象書類名】明細書
【補正対象項目名】００５０
【補正方法】削除
【補正の内容】
【手続補正４５】
【補正対象書類名】明細書
【補正対象項目名】００５１
【補正方法】削除
【補正の内容】
【手続補正４６】
【補正対象書類名】明細書
【補正対象項目名】００５２
【補正方法】削除
【補正の内容】
【手続補正４７】
【補正対象書類名】明細書
【補正対象項目名】００５３
【補正方法】削除
【補正の内容】
【手続補正４８】
【補正対象書類名】明細書
【補正対象項目名】００５４
【補正方法】削除
【補正の内容】
【手続補正４９】
【補正対象書類名】明細書
【補正対象項目名】００５５
【補正方法】削除
【補正の内容】
【手続補正５０】
【補正対象書類名】明細書
【補正対象項目名】００５６
【補正方法】削除
【補正の内容】
【手続補正５１】
【補正対象書類名】明細書
【補正対象項目名】００５７
【補正方法】削除
【補正の内容】
【手続補正５２】
【補正対象書類名】明細書
【補正対象項目名】００５８
【補正方法】削除
【補正の内容】
【手続補正５３】
【補正対象書類名】明細書
【補正対象項目名】００５９
【補正方法】削除
【補正の内容】
【手続補正５４】
【補正対象書類名】明細書
【補正対象項目名】００６０
【補正方法】削除
【補正の内容】
【手続補正５５】
【補正対象書類名】明細書
【補正対象項目名】００６１
【補正方法】削除
【補正の内容】
【手続補正５６】
【補正対象書類名】明細書
【補正対象項目名】００６２
【補正方法】削除
【補正の内容】
【手続補正５７】
【補正対象書類名】明細書
【補正対象項目名】００６３
【補正方法】削除
【補正の内容】
【手続補正５８】
【補正対象書類名】明細書
【補正対象項目名】００６４
【補正方法】削除
【補正の内容】
【手続補正５９】
【補正対象書類名】明細書
【補正対象項目名】００６５
【補正方法】削除
【補正の内容】
【手続補正６０】
【補正対象書類名】明細書
【補正対象項目名】００６６
【補正方法】削除
【補正の内容】
【手続補正６１】
【補正対象書類名】明細書
【補正対象項目名】００６７
【補正方法】削除
【補正の内容】
【手続補正６２】
【補正対象書類名】明細書
【補正対象項目名】００６８
【補正方法】削除
【補正の内容】
【手続補正６３】
【補正対象書類名】明細書
【補正対象項目名】００６９
【補正方法】削除
【補正の内容】
【手続補正６４】
【補正対象書類名】明細書
【補正対象項目名】００７０
【補正方法】削除
【補正の内容】
【手続補正６５】
【補正対象書類名】明細書
【補正対象項目名】００７１
【補正方法】削除
【補正の内容】
【手続補正６６】
【補正対象書類名】明細書
【補正対象項目名】００７２
【補正方法】削除
【補正の内容】
【手続補正６７】
【補正対象書類名】明細書
【補正対象項目名】００７３
【補正方法】削除
【補正の内容】
【手続補正６８】
【補正対象書類名】明細書
【補正対象項目名】００７４
【補正方法】削除
【補正の内容】
【手続補正６９】
【補正対象書類名】明細書
【補正対象項目名】００７５
【補正方法】削除
【補正の内容】
【手続補正７０】
【補正対象書類名】明細書
【補正対象項目名】０２６１
【補正方法】削除
【補正の内容】
【手続補正７１】
【補正対象書類名】明細書
【補正対象項目名】０２６２
【補正方法】削除
【補正の内容】
【手続補正７２】
【補正対象書類名】明細書
【補正対象項目名】０２６３
【補正方法】削除
【補正の内容】
【手続補正７３】
【補正対象書類名】明細書
【補正対象項目名】０２６４
【補正方法】削除
【補正の内容】
【手続補正７４】
【補正対象書類名】明細書
【補正対象項目名】０２６５
【補正方法】削除
【補正の内容】
【手続補正７５】
【補正対象書類名】明細書
【補正対象項目名】０２６６
【補正方法】削除
【補正の内容】
【手続補正７６】
【補正対象書類名】明細書
【補正対象項目名】０２６７
【補正方法】削除
【補正の内容】
【手続補正７７】
【補正対象書類名】明細書
【補正対象項目名】０２６８
【補正方法】削除
【補正の内容】
【手続補正７８】
【補正対象書類名】明細書
【補正対象項目名】０２６９
【補正方法】削除
【補正の内容】
【手続補正７９】
【補正対象書類名】明細書
【補正対象項目名】０２７０
【補正方法】削除
【補正の内容】
【手続補正８０】
【補正対象書類名】明細書
【補正対象項目名】０２７１
【補正方法】削除
【補正の内容】
【手続補正８１】
【補正対象書類名】明細書
【補正対象項目名】０２７２
【補正方法】削除
【補正の内容】
【手続補正８２】
【補正対象書類名】明細書
【補正対象項目名】０２７３
【補正方法】削除
【補正の内容】
【手続補正８３】
【補正対象書類名】明細書
【補正対象項目名】０２７４
【補正方法】削除
【補正の内容】
【手続補正８４】
【補正対象書類名】明細書
【補正対象項目名】０２７５
【補正方法】削除
【補正の内容】
【手続補正８５】
【補正対象書類名】明細書
【補正対象項目名】０２７６
【補正方法】削除
【補正の内容】
【手続補正８６】
【補正対象書類名】明細書
【補正対象項目名】０２７７
【補正方法】削除
【補正の内容】
【手続補正８７】
【補正対象書類名】明細書
【補正対象項目名】０２７８
【補正方法】削除
【補正の内容】
【手続補正８８】
【補正対象書類名】明細書
【補正対象項目名】０２７９
【補正方法】削除
【補正の内容】
【手続補正８９】
【補正対象書類名】明細書
【補正対象項目名】０２８０
【補正方法】削除
【補正の内容】
【手続補正９０】
【補正対象書類名】明細書
【補正対象項目名】０２８１
【補正方法】削除
【補正の内容】
【手続補正９１】
【補正対象書類名】明細書
【補正対象項目名】０２８２
【補正方法】削除
【補正の内容】
【手続補正９２】
【補正対象書類名】明細書
【補正対象項目名】０２８３
【補正方法】削除
【補正の内容】
【手続補正９３】
【補正対象書類名】明細書
【補正対象項目名】０２８４
【補正方法】削除
【補正の内容】
【手続補正９４】
【補正対象書類名】明細書
【補正対象項目名】０２８５
【補正方法】削除
【補正の内容】
【手続補正９５】
【補正対象書類名】明細書
【補正対象項目名】０２８６
【補正方法】削除
【補正の内容】
【手続補正９６】
【補正対象書類名】明細書
【補正対象項目名】０２８７
【補正方法】削除
【補正の内容】
【手続補正９７】
【補正対象書類名】明細書
【補正対象項目名】０２８８
【補正方法】削除
【補正の内容】
【手続補正９８】
【補正対象書類名】明細書
【補正対象項目名】０２８９
【補正方法】削除
【補正の内容】
【手続補正９９】
【補正対象書類名】明細書
【補正対象項目名】０２９０
【補正方法】削除
【補正の内容】
【手続補正１００】
【補正対象書類名】明細書
【補正対象項目名】０２９１
【補正方法】削除
【補正の内容】
【手続補正１０１】
【補正対象書類名】明細書
【補正対象項目名】０２９２
【補正方法】削除
【補正の内容】
【手続補正１０２】
【補正対象書類名】明細書
【補正対象項目名】０２９３
【補正方法】削除
【補正の内容】
【手続補正１０３】
【補正対象書類名】明細書
【補正対象項目名】０２９４
【補正方法】削除
【補正の内容】
【手続補正１０４】
【補正対象書類名】明細書
【補正対象項目名】０２９５
【補正方法】削除
【補正の内容】
【手続補正１０５】
【補正対象書類名】明細書
【補正対象項目名】０２９６
【補正方法】削除
【補正の内容】
【手続補正１０６】
【補正対象書類名】明細書
【補正対象項目名】０２９７
【補正方法】削除
【補正の内容】